(57)【特許請求の範囲】
【請求項１】
電子機器を設置した場合の前記電子機器の底部に、付属装置を取付ける凸部を有する第１取付け部材と、第２取付け部材と、
前記電子機器を設置した場合に、前記電子機器を支持する支持部材と、
前記第１取付け部材と前記第２取付け部材とにある複数の第１ネジ孔群と、
前記支持部材の底面には複数の第２ネジ孔群と、
前記複数の第１ネジ孔群と前記複数の第２ネジ孔群とを連通する複数のネジと、を有する電子機器であり、
前記付属装置は前記電子機器に電力を供給するための装置であり、
前記第１取付け部材と、前記第２取付け部材と、前記支持部材と、はそれぞれ別体であり、
前記付属装置は前記第１取付け部材と前記第２取付け部材とによってのみ支持されている、
ことを特徴とする電子機器。
【請求項２】
請求項１において、
前記支持部材は、前記電子機器を設置した場合に、取付けられた前記付属装置が視認されないように設けられる
ことを特徴とする電子機器。
【請求項３】
請求項１において、
前記支持部材は、前記電子機器を支持する複数の柱状部材を備える
ことを特徴とする電子機器。
【請求項４】
請求項１乃至３のいずれか１項において、
前記支持部材は、前記電子機器を設置した場合の下方に開口を備える
ことを特徴とする電子機器。
【請求項５】
請求項１乃至４のいずれか１項において、
前記支持部材の外形寸法は、前記電子機器の底部の外形寸法と略同一である
ことを特徴とする電子機器。
【請求項６】
プリンターを設置した場合の前記プリンターの底部に、付属装置を取付ける凸部を有する第１取付け部材と、第２取付け部材と、
前記プリンターを設置した場合に、前記プリンターを設置面に対して支持する支持部材と、
前記第１取付け部材と前記第２取付け部材とにある複数の第１ネジ孔群と、
前記支持部材の底面には複数の第２ネジ孔群と、
前記複数の第１ネジ孔群と前記複数の第２ネジ孔群とを連通する複数のネジと、を有するプリンターであり、
前記付属装置は前記プリンターに電力を供給するための装置であり、
前記第１取付け部材と、前記第２取付け部材と、前記支持部材と、はそれぞれ別体であり、
前記付属装置は前記第１取付け部材と前記第２取付け部材とによってのみ支持されている、
ことを特徴とするプリンター。
【発明の詳細な説明】
【技術分野】
【０００１】
本発明は、ＡＣアダプター等の付属装置を備える電子機器に関し、特に、付属装置を収納する部分がその電子機器の専用部品でなく、かつ、放熱し易い構造を持つ電子機器等に関する。
【背景技術】
【０００２】
従来、ＡＣアダプター本体とＤＣケーブルとをＤＣケーブル輻射ノイズが増幅されないようにコンパクトに収納できるＡＣアダプターユニット、ＡＣアダプターの収納トレイ、及び、電子機器ユニットが提案されている（例えば、下記特許文献１参照）。
【先行技術文献】
【特許文献】
【０００３】
【特許文献１】特開２０１４−９６９８３号公報
【発明の概要】
【発明が解決しようとする課題】
【０００４】
しかしながら、上記特許文献１にて開示されているＡＣアダプターの収納トレイ（外観ケース）は、電子機器の底部（設置した場合の下面を形成する部分）となるため、電子機器の外径寸法に大きさを合わせる必要があった。そのため、機種毎、または、取付けるＡＣアダプター等の形状毎に、寸法、形状を異にする必要があり、その電子機器の専用部材として製作する必要があった。また、電子機器の底部全体を覆う形状であるため、電子機器が放熱しにくい等の課題がある。
【０００５】
そこで、本発明の目的は、ＡＣアダプター等の付属装置を備える電子機器であって、付属装置を収納する部分がその電子機器の専用部品でなく、かつ、放熱し易い構造を持つ電子機器、等を提供することにある。
【課題を解決するための手段】
【０００６】
上記の目的を達成するために、本発明の一つの側面は、電子機器を設置した場合の前記電子機器の底部に、付属装置を取付ける取付け部材と、前記取付け部材とは別体であり、前記電子機器を設置した場合に、前記電子機器を設置面に対して支持する支持部材と、を有する、ことである。
【０００７】
これにより、付属装置を取付ける取付け部材を、電子機器の形状、大きさに関わらず、付属装置が共通であれば、他機種と共通の部材にすることができる。
【０００８】
また、付属装置は、取付け部材によって取付けられるため、電子機器を支持する部材、電子機器の外観を形成する部材に付属装置を取付けるための機能が不要であるため、電子機器の下面に開口を設けることができ、放熱し易い構造とすることができる。
【０００９】
更に、上記発明において、その好ましい態様は、前記支持部材は、前記電子機器を設置した場合に、取付けられた前記付属装置が視認されないように設けられる、ことを特徴とする。
【００１０】
これにより、付属装置を電子機器本体底部に取付けても、見栄えの良い外観とすることができる。
【００１１】
また、上記発明において、その好ましい態様は、前記支持部材は、前記電子機器を支持する複数の柱状部材を備える、ことを特徴とする。
【００１２】
これにより、電子機器の底部において、開口部を大きく取れ、より効果的な放熱対策が可能である。
【００１３】
更に、上記発明において、その好ましい態様は、前記支持部材は、前記電子機器を設置した場合の下方に開口を備える、ことを特徴とする。
【００１４】
これにより、電子機器の放熱対策が容易となる。
【００１５】
更に、上記発明において、その好ましい態様は、前記支持部材の外形寸法は、前記電子機器の底部の外形寸法と略同一である、ことを特徴とする。
【００１６】
これにより、支持部材は、電子機器の大きさに合わせれば良いため、設計が容易であると共に、見栄えの良い外観となる。
【００１７】
更に、上記発明において、その好ましい態様は、前記取付け部材は、複数の部材から構成される、ことを特徴とする。
【００１８】
これにより、取付け部材を分割することによって、付属装置を固定するために必要な部材を小型にすることができ、電子機器本体を軽量にすることが可能となる。
【００１９】
更に、上記発明において、その好ましい態様は、前記取付け部材の複数の部材は、互いに同形状である、ことを特徴とする。
【００２０】
これにより、部材の共通化が可能となる。
【００２１】
更に、上記発明において、本発明の更に別の側面は、プリンターを設置した場合の前記プリンターの底部に、付属装置を取付ける取付け部材と、前記取付け部材とは別体であり、前記プリンターを設置した場合に、前記プリンターを設置面に対して支持する支持部材と、を有する、ことである。
【００２２】
これにより、付属装置を取付ける取付け部材を、プリンターの形状、大きさに関わらず、付属装置が共通であれば、他のプリンターと共通の部材にすることができる。
【００２３】
また、付属装置は、取付け部材によって取付けられるため、プリンターを支持する部材、プリンターの外観を形成する部材に付属装置を取付けるための機能が不要であるため、プリンターの下面に開口を設けることができ、放熱し易い構造とすることができる。
【００２４】
本発明の更なる目的及び、特徴は、以下に説明する発明の実施の形態から明らかになる。
【図面の簡単な説明】
【００２５】
【図１】本発明を適用した印刷装置の第１の実施の形態例に係る外観斜視図である。
【図２】プリンター１を底部４側から見た斜視図である。
【図３】ＡＣアダプター１３の取付け部材１２を例示した斜視図である。
【図４】支持部材２を例示した図である。
【図５】支持部材２を裏面から見た斜視図である。
【図６】支持部材２、取付け部材１２、ＡＣアダプター１３の組み立て前の状態を示す図である。
【図７】本発明を適用した印刷装置の第２の実施の形態例に係る外観斜視図である。
【図８】プリンター１Ａを底部４Ａ側から見た斜視図である。
【発明を実施するための形態】
【００２６】
以下、図面を参照して本発明の実施の形態例を説明する。しかしながら、かかる実施の形態例が、本発明の技術的範囲を限定するものではない。なお、図において、同一又は類似のものには同一の参照番号又は参照記号を付して説明する。
【００２７】
図１及び図７は、本発明を適用した電子機器である印刷装置の第１及び第２の実施の形態例に係る外観斜視図である。図１及び図７において、それぞれプリンター１及びプリンター１Ａが本発明を適用した印刷装置であり、その底面に付属装置としてＡＣアダプター１３及び１３Ａを備える。
【００２８】
プリンター１及び１Ａの底部４及び４Ａには、ＡＣアダプター１３及び１３Ａを取付けるための取付け部材１２ａ、１２ｂ、及び、１２ａＡ、１２ｂＡと、プリンター１及び１Ａ本体を支持する支持部材２及び２Ａが備えられる。これら取付け部材１２ａ、１２ｂ、及び、１２ａＡ、１２ｂＡと、支持部材２及び２Ａは別の部材で構成される。これにより、付属装置（ここでは、ＡＣアダプター１３及び１３Ａ）を取付ける取付け部材１２ａ、１２ｂ、及び、１２ａＡ、１２ｂＡを、プリンター１及び１Ａの外観に関わらず、他機種と共通の部材にすることができる。また、ＡＣアダプター１３及び１３Ａは、取付け部材１２ａ、１２ｂ、及び、１２ａＡ、１２ｂＡによって取付けられるため、プリンター１及び１Ａ電子機器の下面に開口を設けることができ、放熱し易い構造とすることができる。
【００２９】
以下、第１の実施の形態例、及び、第２の実施の形態例について、詳細に説明する。
【００３０】
[第１の実施の形態例]
図１は、本発明を適用した印刷装置の第１の実施の形態例に係る外観斜視図である。
【００３１】
プリンター１は、一例として、店舗のレジ等で用いられるレシートプリンターであり、印刷媒体としてロール紙（図示せず）を使用し、印刷方式としては、サーマル方式を採用する。
【００３２】
まず、プリンター１の外装部分について、図１を参照しながら説明する。
【００３３】
プリンター１は、図１に示されるように、上面を覆う上面ケース（カッターカバー７ｅ、プリンターカバー７ａ）と、背面部分を覆う背面ケース７ｂ、側面部分を覆う側面ケース７ｃ、前面部分を覆う前面ケース７ｄ等のプリンター１本体を覆う外装ケース７を備える。また、プリンター１は、プリンター１を支持する支持部材２、印刷媒体（ロール紙）を排紙する排紙口５、プリンターカバー７ａを開けるカバーオープンボタン３、本体の電源を入切する電源スイッチ１１等を備える。
【００３４】
図１に示すように、上面ケースは、プリンターカバー７ａと、カッターカバー７ｅとで構成されている。カバーオープンボタン３が押されると、プリンターカバー７ａのロックが解除されて、プリンターカバー７ａが開き、ロール紙を収納するためのロール紙収納部（図示せず）が開放状態となる。これにより、ロール紙の交換作業等を行うことが可能となる。
【００３５】
また、図示していないが、プリンターカバー７ａの内部には、プラテンローラーが掛け渡されており、これに対向する位置に、印刷ヘッド（図示せず）が配置されている。プラ
テンローラーは、印刷ヘッドと共にロール紙を挟持し、図示していないが、モーターによって回転することにより、ロール紙を引き出して、排紙口５へと送る。印刷ヘッドにより、ロール紙に印刷が行われると、カッターカバー７ｅの内部に備えられているオートカッター（図示せず）によって、レシートが切断され、排紙される。
【００３６】
以上のような構成を備えるプリンター１は、プリンター１本体の底部４（プリンター１本体の設置状態における下面の部分）に取付けられる、支持部材２、及び、取付け部材１２等に特徴があり、以下、その詳細について説明する。
【００３７】
図２は、本プリンターを底部４側から見た斜視図である。
【００３８】
図２に示される様に、本プリンター１は、付属装置であるＡＣアダプター１３を本体の底部４に取付ける構造となっている。ＡＣアダプター１３は、取付け部材１２ａ及び１２ｂによってプリンター１本体の底部４に取付けられる。取付け部材１２は、２つの部材１２ａ及び１２ｂで構成される。また、本プリンター１は、底部４に本体を支持する支持部材２を備え、ＡＣアダプター１３を取付ける取付け部材１２ａ及び１２ｂと、プリンター１本体を支持する支持部材２は、それぞれ別体として構成される。
【００３９】
上述したように、ＡＣアダプター１３は、取付け部材１２ａ及び１２ｂによって取付けられる。そのため、プリンター１本体を支持する支持部材２には、ＡＣアダプター１３を取付けるための強度が不要である。よって、支持部材２は、図４に示すような概ね枠型の形状とすることができる。よって、図２に示すように、プリンター１本体の底部４には、広い開口５ができる。
【００４０】
ここで、図２に示すように、支持部材２には、４つの突起（２０ａ、２０ｂ、２０ｃ、２０ｄ）が形成されており、図１に示す様な使用時の設置状態では、これらの突起が設置面に接する。当該突起（２０ａ、２０ｂ、２０ｃ、２０ｄ）を介して、支持部材２は、プリンター１を設置面に対して支持する。支持部材２の詳細については、後述する。
【００４１】
まず、本発明の特徴の一つである、ＡＣアダプター１３の取付け部材１２ａ及び１２ｂについて詳細に説明する。
【００４２】
図３は、ＡＣアダプター１３の取付け部材１２を例示した斜視図である。上述したように、取付け部材１２ａ及び１２ｂは、ＡＣアダプター１３をプリンター１本体の底部４に取付けるための部材である。取付け部材１２ａ及び１２ｂは、支持部材２とは別体として構成されており、支持部材２とは分離している。
【００４３】
取付け部材１２ａ及び１２ｂの個々の形状は、概ね直方体のＡＣアダプター１３の両端部１３ａ及び１３ｂ（図２を参照）を長手方向Ｌに固定できるように形成されている。取付け部材１２ａ及び１２ｂの凸部１２１ａ及び１２１ｂは、ＡＣアダプター１３の幅Ｄと高さＨに合わせた寸法であり、ＡＣアダプター１３を嵌め込むための凸形状が形成されている。本発明における取付け部材１２は、２つの部材１２ａ及び１２ｂで構成されており、それぞれの大きさ、形状は、概ね同じである。ＡＣアダプター１３は、その両端部１３ａ及び１３ｂを、取付け部材１２ａ及び１２ｂの凸部１２１ａ及び１２１ｂにそれぞれ嵌め込むことによって取付けられる。更に、ＡＣアダプター１３と取付け部材１２ａ及び１２ｂは、取付け部材１２ａの凸部１２１ａ及び１２ｂの凸部１２１ｂの近傍に形成されているネジ孔１２２ａ、１２２ｂ、１２２ｃ、１２２ｄにネジ（１００ａ、１００ｂ、１００ｃ、１００ｄ）（図６参照）を通すことによって、プリンター１本体の底部４に取付けられる。また、取付け部材１２は、１２ａ及び１２ｂのように、２つの部材でなく、１つの部材あるいは、３つ以上の部材で構成される様にしても良い。更に、これら分割された
複数の取り付け部材１２ａ及び１２ｂを、全く同形状にしても良い。
【００４４】
上述した通り、取付け部材１２ａ及び１２ｂと支持部材２とは別体として構成され、分離可能である。以下に、取付け部材１２とは別の部材である支持部材２について詳細に説明する。
【００４５】
図４は、支持部材２を例示した図である。
【００４６】
支持部材２には、側壁部２１、及び、底板部２２等が備えられる。支持部材２の外形寸法（プリンター１の底部４に接する部分の寸法Ｆ）がプリンター１の底部４の外形寸法と概ね同じである。支持部材２は、図４に示すような概ね枠型の形状とすることができる。よって、図２に示すように、プリンター１本体の底部４（プリンター１本体の設置状態における下面の部分）には、広い開口５ができる。
【００４７】
更に、底部４に支持部材２を取付けると、支持部材２の側壁部２１によって、プリンター１の底部４はその周囲が囲われるため、底部４に取付けられるＡＣアダプター１３は、視認できなくなる。
【００４８】
また、図４に示す通り、支持部材２には、４つのネジ孔２０１ａ、２０１ｂ、２０１ｃ、２０１ｄが形成されており、これらのネジ孔は、それぞれ図３に示す取付け部材１２ａ及び１２ｂに設けられているネジ孔１２２ａ、１２２ｂ、１２２ｃ、１２２ｄと対応している。ネジ孔２０１ｄとネジ孔１２２ａ、ネジ孔２０１ｃとネジ孔１２２ｂ、ネジ孔２０１ｂとネジ孔１２２ｃ、及び、ネジ孔２０１ａとネジ孔１２２ｄは、それぞれ対応した位置に設けられる。取付け部材１２ａ、１２ｂ、及び、支持部材２は、上記の対応するネジ孔同士を嵌め合わせて、そのネジ孔にネジを通すことによって、これら２つの部材（取付け部材１２、支持部材２）は、プリンター１の本体底部４に取付けられる。プリンター１を使用状態に設置した際は、支持部材２の底板部２２が設置面に接して、プリンター１本体を支持する。
【００４９】
次に、支持部材２の裏面について、詳細に説明する。
【００５０】
図５は、支持部材２を裏面から見た斜視図である。
【００５１】
支持部材２の底板部２２には、４つの突起（２０ａ、２０ｂ、２０ｃ、２０ｄ）が形成されている。プリンター１を使用状態に設置した場合、これらの４つの突起によってプリンター１の本体が支持される。これらの突起の近傍には、上述したネジ孔２０１ａ、２０１ｂ、２０１ｃ、２０１ｄが形成されており、支持部材２は、上述したような方法で、プリンター１の本体底部４に取付けられる。
【００５２】
図６は、支持部材２、取付け部材１２、ＡＣアダプター１３の組み立て前の状態を示す図である。図示しているように、支持部材２と取付け部材１２は別体となっており、分離している。ＡＣアダプター１３は、取付け部材１２ａ及び１２ｂによって、プリンター１本体の底部４に取付けられる。支持部材２と取付け部材１２ａ及び１２ｂは、上述したように、取付け部材１２のネジ孔１２２ａ、１２２ｂ、１２２ｃ、１２２ｄと、それらに対応している支持部材２のネジ孔２０１ａ、２０１ｂ、２０１ｃ、２０１ｄを合わせて、ネジ（１００ａ、１００ｂ、１００ｃ、１００ｄ）を通すことによって、プリンター１本体の底部４に取付けられる。更に、プリンター１本体を使用状態に設置した際には、支持部材２によってプリンター１本体は支持される。
【００５３】
[第２の実施の形態例]
第２の実施の形態例に係るプリンター１Ａは、支持部材２Ａが第１の実施の形態例にて説明したプリンター１の支持部材２と異なり、その他の部分は、プリンター１と同じである。以下、支持部材２Ａについて説明する。
【００５４】
図７は、本発明を適用した印刷装置の第２の実施の形態例に係る外観斜視図である。
【００５５】
図示している様に、支持部材２Ａは、プリンター１Ａ本体を使用状態に設置した際、プリンター１Ａ本体を支持する４つの柱状部材（２１ａＡ、２１ｂＡ、２１ｃＡ、２１ｄＡ）を備える。
【００５６】
図７に示す様に、支持部材２Ａの場合、４つの柱状部材によってプリンター１本体が支持されるため、第１の実施の形態例にかかる支持部材２とは異なり、プリンター１Ａ本体の底部４Ａに備えられるＡＣアダプター１３等は、視認されてしまう。しかし、第１の実施の形態例にかかる支持部材２と異なり、プリンター１Ａの底部４Ａの、側面方面においても、大きく開口５Ａを取ることができる。
【００５７】
図８は、本プリンターを底部４Ａ側から見た斜視図である。
【００５８】
支持部材２Ａには、プリンター１Ａの本体を支える脚となる４つの柱状部材（２１ａＡ、２１ｂＡ、２１ｃＡ、２１ｄＡ）と、これらの柱状部材同士の間には、板部２１ｅＡが形成されている。支持部材２Ａの外形は、概ね枠型の形状をしている。また、第１の実施の形態例と同様に、支持部材２Ａの外形寸法（板部２１ｅＡの外側の寸法ＦＡ）は、プリンター１Ａの底部４Ａの外形寸法と概ね同じであり、プリンター１Ａを使用状態に設置した場合、これらの４つの柱状部材に備えられる突起（２０ａＡ、２０ｂＡ、２０ｃＡ、２０ｄＡ）によってプリンター１Ａの本体が支持される。
【００５９】
また、プリンター１Ａを支持する支持部材２Ａにおける柱状部材（２１ａＡ、２１ｂＡ、２１ｃＡ、２１ｄＡ）は、プリンター１Ａ本体を支持可能であれば、それらの数は、４本に限定されない。
【００６０】
以上説明したように、本プリンター１Ａは、第１の実施の形態例において説明したプリンター１と同様に、ＡＣアダプター１３Ａを底部４Ａへ取付ける取付け部材１２ａＡ及び１２ｂＡと、プリンター１Ａを支持する支持部材２Ａは別体であり、別の部材で構成されている。
【００６１】
以上説明した様に、第１の実施の形態例、及び、第２の実施の形態例において、以下のような共通の効果が言える。
【００６２】
ＡＣアダプター１３及び１３Ａを取付ける取付け部材１２及び１２Ａは、プリンター１及び１Ａ本体を支持する支持部材２及び２Ａとは別体で構成される。このため、プリンター１及び１Ａの外観に関わらず、他機種と共通の部材にすることができる。また、取付け部材１２及び１２Ａは、プリンターに限らず、他の電子機器にも使用できる。
【００６３】
また、ＡＣアダプター１３及び１３Ａは、取付け部材１２及び１２Ａによって取付けられるため、支持部材２及び２Ａにおいて、ＡＣアダプター１３及び１３Ａを取付けるための機能が不要である。よって、支持部材２及び２Ａの下面に開口を設けることができ、放熱し易い構造とすることができる。
【００６４】
第１の実施の形態例においては、支持部材２は、プリンター１及び１Ａを設置した場合に、取り付けられたＡＣアダプター１３が視認されないように設けられるため、見栄えの
良い外観とすることができる。
【００６５】
第２の実施の形態例においては、４つの柱状部材（２１ａＡ、２１ｂＡ、２１ｃＡ、２１ｄＡ）によってプリンター１Ａ本体が支持されるため、プリンター１Ａの底部４Ａの側面方向にも空間が出来るため、より放熱対策が効果的であると言える。
【００６６】
また、支持部材２及び２Ａは、概ね枠型の形状とすることができるため、下面に開口を設けることができる。これにより、プリンター１及び１Ａは、放熱し易い構造となる。
【００６７】
また、支持部材２及び２Ａの外形寸法Ｆ及びＦＡは、プリンター１及び１Ａの底部４及び４Ａと概ね同じ大きさに合わせれば良いため、設計が容易であると共に、見栄えの良い外観となる。
【００６８】
また、取付け部材１２ａ及び１２ｂのように、複数に分割することによって、ＡＣアダプター１３及び１３Ａを固定するために必要な部材を小型にすることができ、プリンター１及び１Ａ本体を軽量にすることができる。
【００６９】
また、取付け部材１２及び１２Ａを同形状とすれば、部材の共通化が可能となる。
【００７０】
なお、第１の実施の形態例、第２の実施の形態例に係るプリンター１及び１Ａは、サーマル式のプリンターであったが、それに限らず他の印刷方式（インクジェット、レーザー等）のプリンターであっても良い。
【００７１】
また、取付け部材１２ａ、１２ｂ、及び、１２ａＡ、１２ｂＡには、取付けるＡＣアダプター１３及び１３Ａの大きさに合わせて、ＡＣアダプター１３及び１３Ａの縦Ｌ、横Ｄ、高さＨの、少なくともいずれか一方向の寸法を変えられるような機構を設けても良い。
【００７２】
本発明の保護範囲は、上記の実施の形態に限定されず、特許請求の範囲に記載された発明とその均等物に及ぶものとする。
【符号の説明】
【００７３】
１…プリンター、２…支持部材、３…カバーオープンボタン、４…底部、５…排紙口、７…外装ケース、７ａ…プリンターカバー、７ｂ…背面ケース、７ｃ…側面ケース、７ｄ…前面ケース、７ｅ…カッターカバー、１２ａ…取付け部材、１２ｂ…取付け部材、１３…ＡＣアダプター、２０ａ、２０ｂ、２０ｃ、２０ｄ…突起、２１…側壁部、２２…底板部、１００ａ、１００ｂ、１００ｃ、１００ｄ…ネジ、１２１ａ、１２１ｂ…凸部、１２２ａ、１２２ｂ、１２２ｃ、１２２ｄ…ネジ孔、２０１ａ、２０１ｂ、２０１ｃ、２０１ｄ…ネジ孔、１Ａ…プリンター、２Ａ…支持部材、３Ａ…カバーオープンボタン、４Ａ…底部、５Ａ…排紙口、７Ａ…外装ケース、７ａＡ…プリンターカバー、７ｂＡ…背面ケース、７ｃＡ…側面ケース、７ｄＡ…前面ケース、７ｅＡ…カッターカバー、１２ａＡ…取付け部材、１２ｂＡ…取付け部材、２１ａＡ、２１ｂＡ、２１ｃＡ、２１ｄＡ…柱状部材、２１ｅＡ…板部、１２１ａＡ、１２１ｂＡ…凸部、２０１ａＡ、２０１ｂＡ、２０１ｃＡ、２０１ｄＡ…ネジ孔。
【図１】
0006759698.tif 000002
【図２】
0006759698.tif 000003
【図３】
0006759698.tif 000004
【図４】
0006759698.tif 000005
【図５】
0006759698.tif 000006
【図６】
0006759698.tif 000007
【図７】
0006759698.tif 000008
【図８】
0006759698.tif 000009